(57)【特許請求の範囲】
【請求項１】
ベルト長さ方向に延びるエンドレスの張力帯と、該張力帯を嵌合する嵌合部及び左右両側面にプーリ溝間隔が変化する変速プーリの溝面に摺接する摺接部を有しかつ張力帯にベルト長さ方向に所定ピッチ間隔をあけて係止固定されている多数のブロックとを備えた高負荷伝動用Ｖベルトにおいて、
上記ブロックの背面に、ベルト幅方向に移動不能な背面側アイドルプーリの外周面が接触するベルト幅方向に延びる背面側ストレート部が形成されており、
上記背面側ストレート部のベルト幅方向の寸法Ｗｂは、ベルトの変速プーリ位置での最小ピッチ径をＤ１、最大ピッチ径をＤ２、プーリ溝角度をθ、上記背面側アイドルプーリの厚みをＷ１として、
Ｗｂ≧ｔａｎ（θ／２）×（Ｄ２−Ｄ１）／２＋Ｗ１
を満たすように設定されていることを特徴とする高負荷伝動用Ｖベルト。
【請求項２】
請求項１記載の高負荷伝動用Ｖベルトにおいて、
ブロックのベルト長さ方向前後面であってベルトのピッチラインよりも背面側に、背面に向かってブロックのベルト長さ方向中央側に傾斜する傾斜面がそれぞれ形成されていることを特徴とする高負荷伝動用Ｖベルト。
【請求項３】
ベルト長さ方向に延びるエンドレスの張力帯と、該張力帯を嵌合する嵌合部及び左右両側面にプーリ溝間隔が変化する変速プーリの溝面に摺接する摺接部を有しかつ張力帯にベルト長さ方向に所定ピッチ間隔をあけて係止固定されている多数のブロックとを備えた高負荷伝動用Ｖベルトにおいて、
上記ブロックの内面に、ベルト幅方向に移動不能な内面側アイドルプーリの外周面が接触するベルト幅方向に延びる内面側ストレート部が形成されており、
上記内面側ストレート部のベルト幅方向の寸法Ｗａは、ベルトの変速プーリ位置での最小ピッチ径をＤ１、最大ピッチ径をＤ２、プーリ溝角度をθ、上記内面側アイドルプーリの厚みをＷ２として、
Ｗａ≧ｔａｎ（θ／２）×（Ｄ２−Ｄ１）／２＋Ｗ２
を満たすように設定されていることを特徴とする高負荷伝動用Ｖベルト。
【請求項４】
請求項３記載の高負荷伝動用Ｖベルトにおいて、
ブロックの背面に、ベルト幅方向に移動不能な背面側アイドルプーリの外周面が接触するベルト幅方向に延びる背面側ストレート部が形成されており、
上記背面側ストレート部のベルト幅方向の寸法Ｗｂは、上記背面側アイドルプーリの厚みをＷ１として、
Ｗｂ≧ｔａｎ（θ／２）×（Ｄ２−Ｄ１）／２＋Ｗ１
を満たすように設定されていることを特徴とする高負荷伝動用Ｖベルト。
【請求項５】
請求項１〜４のいずれか１つに記載の高負荷伝動用Ｖベルトにおいて、
ストレート部に、ベルト幅方向の最大寸法が対応するアイドルプーリの厚みの半分よりも小さい凹部が形成されていることを特徴とする高負荷伝動用Ｖベルト。
【発明の詳細な説明】
【０００１】
【発明の属する技術分野】
本発明は、張力帯に複数のブロックがベルト長さ方向に係止されていて、例えば自動車、農業用機械又は汎用機械のベルト式変速装置に使用される高負荷伝動用Ｖベルトに関する技術分野に属する。
【０００２】
【従来の技術】
一般に、この種の高負荷伝動用Ｖベルトは、各々、固定シーブ及び可動シーブからなりかつプーリ溝間隔が変化する駆動側及び従動側の２つの変速プーリ間に巻き掛けられてベルト式無段変速機を構成する際に用いられるものであって、ベルト長さ方向に延びるエンドレスの張力帯と、該張力帯を嵌合する嵌合部及び左右両側面に上記変速プーリの溝面に摺接する摺接部を有しかつ張力帯にベルト長さ方向に所定ピッチ間隔をあけて係止固定されている多数のブロックとを備えている。
【０００３】
【発明が解決しようとする課題】
ところで、上記高負荷伝動用Ｖベルトにおいても、他の伝動用ベルトと同様に、Ｖベルトの張力を維持させる等のためにＶベルトの背面側や内面側からアイドルプーリを押し付けたり、そのアイドルプーリから駆動力をとって従動プーリとは異なる仕事をさせたりすることが考えられる。
【０００４】
しかし、従来の高負荷伝動用Ｖベルトでは、その背面や内面に凸部や凹部が形成されていて、上記のようなアイドルプーリを設けることに適した形状にはなっておらず、そのままアイドルプーリをＶベルトの背面側や内面側から押し付けるとアイドルプーリとの接触状態が安定せず、ブロックを破損させてしまう虞れがある。
【０００５】
また、Ｖベルトの背面や内面の一部にベルト幅方向に延びるストレート部が形成されていても、通常、アイドルプーリはベルト幅方向に移動不能とされているが、Ｖベルト自体は変速プーリの溝間隔の変化に応じてベルト幅方向に移動するため、Ｖベルトのアイドルプーリ外周面との接触位置が変動し、ストレート部のベルト幅方向の寸法が小さすぎるとアイドルプーリがストレート部から外れてしまう場合がある。
【０００６】
さらに、ブロックのベルト長さ方向前後面であってベルトのピッチラインよりも内面側には、Ｖベルトを変速プーリに巻き付けることができるように、内面に向かってブロックのベルト長さ方向中央側に傾斜する傾斜面がそれぞれ形成されているのに対し、背面側ではブロックのベルト長さ方向の長さ（ブロックの厚み）が略一定とされているので、Ｖベルトを比較的小さな曲率半径で変速プーリに巻き付ける方向とは反対方向に曲げようとすると（逆曲げしようとすると）、隣設するブロックの向かい合う面同士が当接してしまう。このため、アイドルプーリをＶベルトの背面側に設けることは困難であり、無理にアイドルプーリをＶベルトに押し付けるとブロックの破損を招くことになる。
【０００７】
本発明は斯かる諸点に鑑みてなされたものであり、その目的とするところは、上記従来の高負荷伝動用Ｖベルトに対して、そのブロックの形状を改良することによって、ブロックを破損させることなく、Ｖベルトの背面側や内面側にアイドルプーリを設けてＶベルトの張力を維持させたりそのアイドルプーリに動力を伝達させたりできるようにすることにある。
【０００８】
【課題を解決するための手段】
上記の目的を達成するために、請求項１の発明では、ベルト長さ方向に延びるエンドレスの張力帯と、該張力帯を嵌合する嵌合部及び左右両側面にプーリ溝間隔が変化する変速プーリの溝面に摺接する摺接部を有しかつ張力帯にベルト長さ方向に所定ピッチ間隔をあけて係止固定されている多数のブロックとを備えた高負荷伝動用Ｖベルトを前提として、上記ブロックの背面に、ベルト幅方向に移動不能な背面側アイドルプーリの外周面が接触するベルト幅方向に延びる背面側ストレート部が形成されており、上記背面側ストレート部のベルト幅方向の寸法Ｗｂは、ベルトの変速プーリ位置での最小ピッチ径をＤ１、最大ピッチ径をＤ２、プーリ溝角度をθ、上記背面側アイドルプーリの厚みをＷ１として、Ｗｂ≧ｔａｎ（θ／２）×（Ｄ２−Ｄ１）／２＋Ｗ１を満たすように設定されている構成とした。
【０００９】
この発明により、Ｖベルトが変速プーリの溝間隔の変化に応じてベルト幅方向に移動する際、その最大移動量はｔａｎ（θ／２）×（Ｄ２−Ｄ１）／２となり、その最大移動量とアイドルプーリの厚みＷを加えた値以上となるように背面側ストレート部のベルト幅方向の寸法を設定しているので、背面側アイドルプーリを常にその背面側ストレート部内に位置させることができ、Ｖベルトと背面側アイドルプーリとの接触状態を一定に維持させることができる。よって、Ｖベルトの背面側にアイドルプーリを設けても、ブロックの破損を防止して、安定したベルト伝動を行うことができる。
【００１０】
請求項２の発明では、請求項１の発明において、ブロックのベルト長さ方向前後面であってベルトのピッチラインよりも背面側に、背面に向かってブロックのベルト長さ方向中央側に傾斜する傾斜面がそれぞれ形成されているものとする。
【００１１】
このことで、隣設するブロック同士を当接させることなくＶベルトを比較的小さな曲率半径で逆曲げして背面側アイドルプーリに巻き付けることが可能となり、Ｖベルトの張力維持や背面側アイドルプーリへの動力伝達をより一層確実に行うことができる。
【００１２】
請求項３の発明では、ベルト長さ方向に延びるエンドレスの張力帯と、該張力帯を嵌合する嵌合部及び左右両側面にプーリ溝間隔が変化する変速プーリの溝面に摺接する摺接部を有しかつ張力帯にベルト長さ方向に所定ピッチ間隔をあけて係止固定されている多数のブロックとを備えた高負荷伝動用Ｖベルトを前提とする。
【００１３】
そして、上記ブロックの内面に、ベルト幅方向に移動不能な内面側アイドルプーリの外周面が接触するベルト幅方向に延びる内面側ストレート部が形成されており、上記内面側ストレート部のベルト幅方向の寸法Ｗａは、ベルトの変速プーリ位置での最小ピッチ径をＤ１、最大ピッチ径をＤ２、プーリ溝角度をθ、上記内面側アイドルプーリの厚みをＷ２として、Ｗａ≧ｔａｎ（θ／２）×（Ｄ２−Ｄ１）／２＋Ｗ２を満たすように設定されているものとする。
【００１４】
こうすることで、請求項１の発明と同様に、Ｖベルトの内面側にアイドルプーリを設けても、ブロックの破損を防止して、安定したベルト伝動を行うことができる。
【００１５】
請求項４の発明では、請求項３の発明において、ブロックの背面に、ベルト幅方向に移動不能な背面側アイドルプーリの外周面が接触するベルト幅方向に延びる背面側ストレート部が形成されており、上記背面側ストレート部のベルト幅方向の寸法Ｗｂは、上記背面側アイドルプーリの厚みをＷ１として、Ｗｂ≧ｔａｎ（θ／２）×（Ｄ２−Ｄ１）／２＋Ｗ１を満たすように設定されているものとする。このことにより、請求項１の発明及び請求項３の発明の作用効果が同時に得られる。
【００１６】
請求項５の発明では、請求項１〜４のいずれか１つの発明において、ストレート部に、ベルト幅方向の最大寸法が対応するアイドルプーリの厚みの半分よりも小さい凹部が形成されているものとする。
【００１７】
この発明により、ベルト幅方向の最大寸法が対応するアイドルプーリの厚みの半分よりも小さい凹部がストレート部にあっても、Ｖベルトがプーリ溝間隔の変化に応じてベルト幅方向に移動するときにアイドルプーリがその凹部に引っ掛かる等といった問題は生じず、このような凹部がない場合と同様に安定したベルト伝動を行うことができる。このため、例えば、樹脂製のブロックを成形するために必要なゲート等をストレート部の凹部内に設定することができる。よって、ブロックの設計自由度を向上させつつ、ベルト伝動を安定化させることができる。
【００１８】
【発明の実施の形態】
以下、本発明の実施形態を図面に基づいて説明する。図５は、本発明の実施形態に係る高負荷伝動用ＶベルトＢがベルト式無段変速装置に使用されている状態を示し、このＶベルトＢは、各々、固定シーブ２５ａと該固定シーブ２５ａに対してベルト幅方向に移動可能な可動シーブ２５ｂ（図４参照）とからなる駆動側及び従動側の変速プーリ２５，２５間に巻き掛けられていると共に、ＶベルトＢの背面側及び内面側にそれぞれ配設した背面側及び内面側アイドルプーリ２６，２７にも巻き掛けられている。この背面側アイドルプーリ２６は、ＶベルトＢの張力維持のために設けられており、このことで、ＶベルトＢは、所定の曲率半径で各変速プーリ２５に巻き付ける方向とは反対方向に曲げられている（逆曲げされている）。また、内面側アイドルプーリ２７は、このプーリ２７に動力を伝達して従動側の変速プーリ２５とは別の仕事をさせるために設けられている。
【００１９】
尚、上記両アイドルプーリ２６，２７はベルト幅方向に移動不能とされているのに対し、ＶベルトＢは、各変速プーリ２５の可動シーブ２５ｂの移動によりプーリ溝間隔が変化することで、ベルト幅方向に移動するようになされている。
【００２０】
上記ＶベルトＢは、図１〜図３に示すように、左右両側１対のエンドレスの張力帯１，１に多数の樹脂製ブロック８，８，…がベルト長さ方向に所定ピッチ間隔をあけて係止固定されてなっている。
【００２１】
上記各張力帯１は、ゴム状弾性材からなる保形層２と、この保形層２のベルト厚み方向（上下方向）中央部に、スパイラル状に巻かれてベルト幅方向に所定ピッチ間隔をあけて並んだ状態で埋設された心線３，３，…とからなっている。そして、上記保形層２の背面（上面）には上帆布４が、また内面（下面）には下帆布５がそれぞれ被覆されている。
【００２２】
上記各張力帯１の背面には、各々、断面凹字状をなす多数の上面溝６，６，…が、また内面には、各々、上記上面溝６，６，…に上下に対応して断面円弧状をなす多数の下面溝７，７，…がそれぞれベルト長さ方向に所定ピッチ間隔でベルト幅方向に延びるように設けられている。
【００２３】
一方、上記各ブロック８は略逆台形板状をなしていて、その左右両側面は、上記各変速プーリ２５の溝面に摺接する摺接部９，９とされている。そして、各ブロック８の左右両側部には、各々、ベルト長さ方向に貫通しかつベルト幅方向に延びるスリット状の嵌合部１０，１０が、側方に向けて開放された状態で設けられ、この各嵌合部１０に各張力帯１が嵌合されている。この各嵌合部１０の上縁部は、下方に向けて突出する断面凸字状をなしていて、上記各張力帯１の上面溝６に係合する下向き突条１１とされている。また、上記各嵌合部１０の下縁部は、上方に向けて隆起する断面円弧状をなしていて、上記各張力帯１の下面溝７に係合する上向き突条１２とされている。このことで、各ブロック８は各張力帯１に係止固定されるようになっている。
【００２４】
上記各ブロック８の各嵌合部１０の上下方向略中央がベルトのピッチライン１５となるように設定されており、各ブロック８のベルト長さ方向前後面であってベルトのピッチライン１５よりも内面側には、内面に向かって該ブロック８のベルト長さ方向中央側に傾斜する内面側傾斜面１７，１７がそれぞれ形成されている。この各内面側傾斜面１７により、隣設するブロック８，８の向かい合う面同士を当接させることなくこのＶベルトＢを各変速プーリ２５や内面側アイドルプーリ２７に巻き付けることができるようになっている。一方、各ブロック８のベルト長さ方向前後面であってベルトのピッチライン１５よりも背面側には、上記各内面側傾斜面１７と同様に、背面に向かって該ブロック８のベルト長さ方向中央側に傾斜する背面側傾斜面１８，１８がそれぞれ形成されている。このことで、ＶベルトＢを隣設するブロック８，８同士を当接させることなく逆曲げして背面側アイドルプーリ２６に巻き付けることができるようになっている。
【００２５】
また、上記各ブロック８の背面には、上記背面側アイドルプーリ２６の外周面が接触するベルト幅方向に延びる背面側ストレート部２０が形成され、この背面側ストレート部２０の左右両側には、ベルト幅方向外側に向かって内面側に傾斜する上斜面２２，２２がそれぞれ形成されている。上記背面側ストレート部２０のベルト幅方向の寸法Ｗｂは、ベルトの各変速プーリ２５位置での最小ピッチ径をＤ１、最大ピッチ径をＤ２、プーリ溝角度をθ、上記背面側アイドルプーリ２６の厚みをＷ１として、
Ｗｂ≧ｔａｎ（θ／２）×（Ｄ２−Ｄ１）／２＋Ｗ１
を満たすように設定されている。
【００２６】
すなわち、図４に示すように、ＶベルトＢが各変速プーリ２５の溝間隔の変化に応じてベルト幅方向に移動する際、その最大移動量Ｗｉはｔａｎ（θ／２）×（Ｄ２−Ｄ１）／２となり、この最大移動量Ｗｉに背面側アイドルプーリ２６の厚みＷ１を加えた値以上となるように背面側ストレート部２０のベルト幅方向の寸法を設定している（図４では、Ｗｂ＞ｔａｎ（θ／２）×（Ｄ２−Ｄ１）／２＋Ｗ１としている）。このことで、ＶベルトＢの背面側アイドルプーリ２６との接触部分がベルト幅方向に変動したとしても、背面側アイドルプーリ２６は、常に背面側ストレート部２０に接触するように構成されている。
【００２７】
尚、図４では、ＶベルトＢが変速プーリ２５位置で最小ピッチ径にあるとき、背面側アイドルプーリ２６を、その左端が背面側ストレート部２０の左端に一致するように位置させているが、その位置は、Ｗｂ＞ｔａｎθ×（Ｄ２−Ｄ１）／２＋Ｗ１の場合には、ＶベルトＢが最大ピッチ径にあるときに背面側アイドルプーリ２６の右端が背面側ストレート部２０の右端よりも右側に位置しないようにすれば、どこにあってもよい。
【００２８】
一方、上記背面側ストレート部２０と同様に、各ブロック８の内面には、上記内面側アイドルプーリ２７の外周面が接触する内面側ストレート部２１が形成され、この内面側ストレート部２０の左右両側には、ベルト幅方向外側に向かって背面側に傾斜する下斜面２３，２３がそれぞれ形成されている。上記内面側ストレート部２１のベルト幅方向の寸法Ｗａは、上記内面側アイドルプーリ２７の厚みをＷ２として、
Ｗａ≧ｔａｎθ×（Ｄ２−Ｄ１）／２＋Ｗ２
を満たすように設定されている。このことで、内面側アイドルプーリ２７も、常に内面側ストレート部２１に接触するように構成されている。
【００２９】
したがって、上記実施形態では、各ブロック８のベルト長さ方向前後面であってベルトのピッチライン１５よりも内面側に、内面に向かって該ブロック８のベルト長さ方向中央側に傾斜する内面側傾斜面１７，１７がそれぞれ形成されていると共に、背面側に、背面に向かって該ブロック８のベルト長さ方向中央側に傾斜する背面側傾斜面１８，１８がそれぞれ形成されているので、ＶベルトＢを、隣設するブロック８，８同士を当接させることなく正逆両方向に曲げることができて各変速プーリ２５及び両アイドルプーリ２６，２７に巻き付けることができる。
【００３０】
そして、ＶベルトＢの背面に、ベルト幅方向の寸法がＶベルトＢの最大移動量Ｗｉと背面側アイドルプーリ２６の厚みＷ１との和以上となる背面側ストレート部２０が形成され、内面に、ベルト幅方向の寸法がＶベルトＢの最大移動量Ｗｉと内面側アイドルプーリ２７の厚みＷ２との和以上となる内面側ストレート部２１が形成されているので、ＶベルトＢが各変速プーリ２５の溝間隔の変化に応じてベルト幅方向に移動したとしても、両アイドルプーリ２６，２７が背面側及び内面側ストレート部２０，２１から外れて各上斜面２２や各下斜面２３にそれぞれ接触するということはなく、ＶベルトＢと各アイドルプーリ２６，２７との接触状態を一定に維持させることができる。このため、各ブロック８の破損を防止しつつ、従動側の変速プーリ２５及び内面側アイドルプーリ２７に動力を確実に伝達することができると共に、背面側アイドルプーリ２６によりＶベルトＢの張力を適切に維持することができ、しかも、安定したベルト伝動を行うことができる。
【００３１】
尚、上記実施形態では、背面側及び内面側ストレート部２０，２１には全く凹部がないものとしたが、図６に示すように、内面側ストレート部２１に、ベルト幅方向の最大寸法Ｗｐが対応するアイドルプーリ（内面側アイドルプーリ２７）の厚みの半分（Ｗ２／２）よりも小さい凹部３０を形成するようにしてもよい。このような凹部３０を設けても、ＶベルトＢがプーリ溝間隔の変化に応じてベルト幅方向に移動するときに内面側アイドルプーリ２７がその凹部３０に引っ掛かる等といったことはなく、このような凹部３０がない場合と同様にベルト伝動を安定化させることができる。このため、例えば、各樹脂製ブロック８を成形するために必要なゲート等を内面側ストレート部２１の凹部３０内に設定することができる。また、同様に、背面側ストレート部２０にベルト幅方向の最大寸法が背面側アイドルプーリ２６の厚みの半分（Ｗ１／２）よりも小さい凹部を形成するようにしてもよい。よって、各ブロック８の設計自由度を向上させつつ、安定したベルト伝動を行うことができる。
【００３２】
また、上記実施形態では、各ブロック８の背面側及び内面側ストレート部２０，２１の左右両側にそれぞれ上斜面２２，２２及び下斜面２３，２３をそれぞれ設けたが、背面側及び内面側ストレート部２０，２１の左右両側はどのような形状であってもよく、ベルト幅方向全体に亘って背面側及び内面側ストレート部２０，２１を形成してもよい。
【００３３】
【発明の効果】
以上説明したように、請求項１の発明によると、ブロックの背面に、ベルト幅方向に移動不能な背面側アイドルプーリの外周面が接触するベルト幅方向に延びる背面側ストレート部を形成し、この背面側ストレート部のベルト幅方向の寸法Ｗｂを、ベルトの変速プーリ位置での最小ピッチ径をＤ１、最大ピッチ径をＤ２、プーリ溝角度をθ、上記背面側アイドルプーリの厚みをＷ１として、Ｗｂ≧ｔａｎ（θ／２）×（Ｄ２−Ｄ１）／２＋Ｗ１を満たすように設定したことにより、Ｖベルトの背面側にアイドルプーリを設けても、ブロックの破損を防止して、ベルト伝動の安定化を図ることができる。
【００３４】
請求項２の発明によると、請求項１の発明において、ブロックのベルト長さ方向前後面であってベルトのピッチラインよりも背面側に、背面に向かってブロックのベルト長さ方向中央側に傾斜する傾斜面をそれぞれ形成したことにより、Ｖベルトの張力維持やアイドルプーリへの動力伝達をより一層確実に行うことができる。
【００３５】
請求項３の発明によると、ブロックの内面に、ベルト幅方向に移動不能な内面側アイドルプーリの外周面が接触するベルト幅方向に延びる内面側ストレート部を形成し、この内面側ストレート部のベルト幅方向の寸法Ｗａを、ベルトの変速プーリ位置での最小ピッチ径をＤ１、最大ピッチ径をＤ２、プーリ溝角度をθ、上記内面側アイドルプーリの厚みをＷ２として、Ｗａ≧ｔａｎ（θ／２）×（Ｄ２−Ｄ１）／２＋Ｗ２を満たすように設定したことにより、Ｖベルトの内面側にアイドルプーリを設けても、ブロックの破損を防止して、ベルト伝動の安定化を図ることができる。
【００３６】
請求項４の発明によると、請求項３の発明において、ブロックの背面に、ベルト幅方向に移動不能な背面側アイドルプーリの外周面が接触するベルト幅方向に延びる背面側ストレート部を形成し、この背面側ストレート部のベルト幅方向の寸法Ｗｂを、上記背面側アイドルプーリの厚みをＷ１として、Ｗｂ≧ｔａｎ（θ／２）×（Ｄ２−Ｄ１）／２＋Ｗ１を満たすように設定したことにより、請求項１の発明及び請求項３の発明の作用効果が同時に得られる。
【００３７】
請求項５の発明によると、ストレート部に、ベルト幅方向の最大寸法が対応するアイドルプーリの厚みの半分よりも小さい凹部を形成したことにより、ブロックの設計自由度を向上させつつ、ベルト伝動の安定化を図ることができる。
【図面の簡単な説明】
【図１】  本発明の実施形態に係る高負荷伝動用Ｖベルトを示す側面図である。
【図２】  Ｖベルトの一部を示す斜視図である。
【図３】  図１のIII −III 線断面図である。
【図４】  変速プーリの溝間隔の変化とＶベルトのベルト幅方向への移動との関係を示す説明図である。
【図５】  Ｖベルトの使用状態を示すベルト式無段変速装置の概略図である。
【図６】  他の実施形態を示す図３相当図である。
【符号の説明】
Ｂ  Ｖベルト
１  張力帯
８  ブロック
９  摺接部
１０  嵌合部
１５  ピッチライン
１８  背面側傾斜面
２０  背面側ストレート部
２１  内面側ストレート部
２５  変速プーリ
２６  背面側アイドルプーリ
２７  内面側アイドルプーリ
３０  凹部
【図１】
0003917264.tif 000002
【図２】
0003917264.tif 000003
【図３】
0003917264.tif 000004
【図４】
0003917264.tif 000005
【図５】
0003917264.tif 000006
【図６】
0003917264.tif 000007